(57)【要約】【課題】搬送対象の小切手の最大厚さが最小厚さの２倍以上の場合であっても小切手の厚さ検出値に基づき正確に重送判定を行うことのできる重送検出方法および紙葉類処理装置を提案すること。【解決手段】重送検出システム１は、小切手読取装置１００の搬送路１０１を搬送される小切手４の厚さを検出する厚さ検出器３を有し、通過する小切手４の厚さを、厚さ検出器３から一定の周期でサンプリングする。サンプリングした検出厚さの変化量Δｔを順次に算出し、算出された検出厚さの変化量Δｔを予め定めた閾値Ｔｈ２と比較し、変化量Δｔが閾値Ｔｈ２以上の場合には、小切手４が重送されていると判定する。検出値の誤差成分による判定精度の低下を防止するために、検出値をサンプリング順に複数個ずつ順次に抽出して、それらの平均値を算出し、算出された各平均値の変化量に基づき重送判定を行う。【選択図】図３
2012041194.tif 000002
【特許請求の範囲】
【請求項１】
搬送路における予め定めた位置に、当該搬送路に沿って搬送される紙葉類の厚さを検出するための厚さ検出器を配置し、
この厚さ検出器による検出位置を紙葉類が通過する際に、当該厚さ検出器の検出値を所定の周期でサンプリングし、
サンプリングした検出値の変化量を順次に算出し、
算出された各変化量を予め定めた閾値と比較し、
前記変化量が前記閾値以上の場合には、前記紙葉類が重送されていると判定することを特徴とする紙葉類の重送検出方法。
【請求項２】
請求項１に記載の紙葉類の重送検出方法において、
前記検出値をサンプリング順に複数個ずつ順次に抽出して、それらの平均値を算出し、
前記検出値の変化量の代わりに、算出された各平均値の変化量を算出し、
当該平均値の変化量に基づき前記の重送判定を行うことを特徴とする紙葉類の重送検出方法。
【請求項３】
請求項１または２に記載の紙葉類の重送検出方法において、
前記検出位置に前記紙葉類が到達する前の時点において、前記厚さ検出器から厚さ零を表す零検出値を少なくとも１回サンプリングし、
この零検出値の検出時点から前記厚さ検出器の検出値を所定の周期でサンプリングし、
サンプリングした検出値と前記零検出値との差を順次に算出し、
前記零検出値との差が所定値以上となった時点を、前記紙葉類における搬送方向の先端が前記検出位置を通過した先端通過時点であると判断し、
この先端通過時点、あるいは、当該先端通過時点から所定回数のサンプリング周期後の時点を、判定開始時点と定め、
この判定開始時点以後にサンプリングされた各検出値あるいは各平均値から算出された前記変化量に基づき前記紙葉類の重送判定を行うことを特徴とする紙葉類の重送検出方法。
【請求項４】
請求項３に記載の紙葉類の重送検出方法において、
前記零検出値を複数回サンプリングし、
これらの零検出値の平均値を用いて前記先端通過時点を判断することを特徴とする紙葉類の重送検出方法。
【請求項５】
請求項３または４に記載の紙葉類の重送検出方法において、
前記零検出値のサンプリング時点から所定のサンプリング期間に亘って前記厚さ検出器の検出値のサンプリングを行い、
前記サンプリング期間の終了時点においてサンプリングされた前記厚さ検出器の最終検出値を前記零検出値と比較し、
前記最終検出値と前記零検出値の差が所定値以下の場合には、前記サンプリング期間の終了時点において前記紙葉類の搬送方向の後端が前記検出位置を通過し終えたものと判断し、そうでない場合には、前記紙葉類の前記後端が前記検出位置を通過し終わっていないと判断することを特徴とする紙葉類の重送検出方法。
【請求項６】
請求項５に記載の紙葉類の重送検出方法において、
前記紙葉類の前記後端が通過し終えたものと判断された場合には、
前記最終検出値と、当該最終検出値のサンプリング時点より前にサンプリングされた各検出値との差を順次に遡って算出し、
前記最終検出値との差が所定値を超えた時点を、前記紙葉類の前記後端が前記検出位置を通過し終えた後端通過時点であると判断し、
当該後端通過時点、あるいは、当該後端通過時点から複数回のサンプリング周期分だけ遡った時点を、判定終了時点であると定め、
前記判定開始時点から前記判定終了時点までにサンプリングされた各検出値あるいは各平均値の変化量に基づき前記紙葉類の重送判定を行うことを特徴とする紙葉類の重送検出方法。
【請求項７】
請求項５に記載の紙葉類の重送検出方法において、
前記紙葉類の前記後端が通過し終わっていないと判断された場合には、
前記最終検出値がサンプリングされたサンプリング期間の終了時点、あるいは、当該終了時点から所定のサンプリング周期分だけ遡ったサンプリング時点を、判定終了時点であると定め、
前記判定開始時点から前記判定終了時点までにサンプリングされた各検出値あるいは各平均値の変化量に基づき前記紙葉類の重送判定を行うことを特徴とする紙葉類の重送検出方法。
【請求項８】
請求項６または７に記載の紙葉類の重送検出方法において、
前記判定開始時点から順次に得られる所定個数ｋの前記検出値に基づく先端側重送判定においては、
前記判定開始時点から順次に得られる２（ｍ＋ｎ）個（ｍ、ｎは整数）の検出値の組を、ｎを予め定めた初期値から、「１」ずつ増加して、２（ｍ＋ｎ）＝ｋとなるまで複数組抽出し、
各組について、その前半の（ｍ＋ｎ）個の検出値の平均値と、その後半の（ｍ＋ｎ）個の平均値とを算出し、これらの平均値の差分を算出し、
算出した前記差分の少なくとも一つが前記閾値以上の場合には前記紙葉類が重送されたと判定することを特徴とする紙葉類の重送検出方法。
【請求項９】
請求項８に記載の紙葉類の重送検出方法において、
前記先端側重送判定において抽出したｋ個の検出値について、
各組の２（ｍ＋ｎ）個の検出値を、サンプリング順とは逆の順序でｍ個ずつに分け、ｍ個に満たない端数分の検出値は無視し、
各ｍ個ずつの検出値の各平均値ａｍを算出し、
各平均値ａｍと前記零検出値の差が所定値以下の場合には、当該２（ｍ＋ｎ）個の検出値に基づく前記先端側重送判定を無効とすることを特徴とする紙葉類の重送検出方法。
【請求項１０】
請求項８に記載の紙葉類の重送検出方法において、
算出した前記差分が、検出厚さが減少する方向の差分である場合には、当該差分が算出された前記２（ｍ＋ｎ）個の検出値に基づく前記先端側重送判定を無効とすることを特徴とする紙葉類の重送検出方法。
【請求項１１】
請求項６または７に記載の紙葉類の重送検出方法において、
前記判定終了時点から順次に遡って得られる所定個数ｋの前記検出値に基づく後端側重送判定においては、
前記判定終了時点から順次に遡って得られる２（ｍ＋ｎ）個（ｍ、ｎは整数）の検出値の組を、ｎを予め定めた初期値から、「１」ずつ増加して、２（ｍ＋ｎ）＝ｋとなるまで複数組抽出し、
各組について、その前半の（ｍ＋ｎ）個の検出値の平均値と、その後半の（ｍ＋ｎ）個の平均値とを算出し、これらの平均値の差分を算出し、
算出された前記差分の少なくとも一つが、前記閾値以上の場合には前記紙葉類が重送されたと判定することを特徴とする紙葉類の重送検出方法。
【請求項１２】
請求項１１に記載の紙葉類の重送検出方法において、
前記後端側重送判定において抽出したｋ個の検出値について、
各組の２（ｍ＋ｎ）個の検出値を、サンプリング順にｍ個ずつ分け、ｍ個に満たない端数分の検出値は無視し、
各ｍ個ずつの検出値の各平均値ａｍを算出し、
前記紙葉類の前記後端が前記検出位置を通過し終えている場合には、各平均値ａｍと前記最終検出値の差が所定値以下の場合には、当該２（ｍ＋ｎ）個の検出値に基づく前記後端側重送判定の結果を無効とし、
前記紙葉類の前記後端が前記検出位置を通過し終えていない場合には、各平均値ａｍと前記零検出値の差が所定値以下の場合には、当該２（ｍ＋ｎ）個の検出値に基づく前記後端側重送判定の結果を無効とすることを特徴とする紙葉類の重送検出方法。
【請求項１３】
請求項１１に記載の紙葉類の重送検出方法において、
算出した前記差分が、検出厚さが増加する方向の差分である場合には、当該差分が算出された前記２（ｍ＋ｎ）個の検出値に基づく前記先端側重送判定を無効とすることを特徴とする紙葉類の重送検出方法。
【請求項１４】
請求項６または７に記載の紙葉類の重送検出方法において、
前記判定開始時点から前記判定終了時点までに含まれている検出値群を、サンプリング順にしたがって連続してｋ個ずつｍ個置きに抽出し、ｋ個に至らない端数分の検出値は無視し、
各ｋ個ずつの検出値を、前半ｋ／２個および後半ｋ／２に分け、それぞれの平均値を算出し、
各平均値の差分を算出し、
算出された前記差分のうちの少なくとも一つが、前記閾値以上の場合には前記紙葉類が重送されたものと判定することを特徴とする紙葉類の重送検出方法。
【請求項１５】
請求項１４に記載の紙葉類の重送検出方法において、
夫々のｋ個ずつの検出値群に含まれている各検出値と、前記零検出値との差が所定値以下の場合には、当該ｋ個の検出値群の平均値の差分に基づく前記重送判定を無効にすることを特徴とする紙葉類の重送検出方法。
【請求項１６】
請求項１に記載の紙葉類の重送検出方法において、
前記厚さ検出器として、検出厚さに対して検出値が線形関係となるものを採用し、
重送検出に先立って、前記厚さ検出器における厚さ零の場合の検出値を、初期検出値Ｖｏとして読み取り、
前記厚さ検出器の前記検出位置に、既知の厚さｔの基準ゲージを通した場合の検出値を、基準厚さ検出値Ｖｔとして読み取り、
前記厚さ検出器の初期感度を（Ｖｏ−Ｖｔ）／ｔに設定し、
前記紙葉類の重送検出においては、
搬送対象の前記紙葉類の最小厚さに基づき、重送判定の基準となる厚さ変動閾値ｔ２を設定し、
前記閾値Ｔｈａを、｛（Ｖｏ−Ｖｔ）／ｔ｝×ｔ２に設定することを特徴とする紙葉類の重送検出方法。
【請求項１７】
請求項１６に記載の紙葉類の重送検出方法において、
前記初期検出値Ｖｏおよび前記基準厚さ検出値Ｖｔとして、それぞれ、複数回の検出値の平均値を採用することを特徴とする紙葉類の重送検出方法。
【請求項１８】
請求項１７に記載の紙葉類の重送検出方法において、
前記搬送路の前記検出位置に、搬送される紙葉類の厚さに応じて変位する変位部材を配置し、
前記厚さ検出器により、当該変位部材の変位量を検出することを特徴とする紙葉類の重送検出方法。
【請求項１９】
請求項１８に記載の紙葉類の重送検出方法において、
前記変位部材として、一端に、前記検出位置を通過する紙葉類によって変位する変位部が形成され、他端に、増幅された変位量で変位する検出部が形成された回動レバーを採用し、
前記厚さ検出器によって、前記検出部の変位量を検出することを特徴とする紙葉類の重送検出方法。
【請求項２０】
請求項１９に記載の紙葉類の重送検出方法において、
前記厚さ検出器として、半導体位置検出器などの光学センサを採用することを特徴とする紙葉類の重送検出方法。
【請求項２１】
請求項１から２０のいずれかに記載の紙葉類の重送検出方法を用いた紙葉類処理装置であって、
搬送対象の紙葉類を挿入する紙葉類挿入部と、
前記紙葉類挿入部に挿入された前記紙葉類が搬送される搬送路と、
前記搬送路を通過し終わった前記紙葉類を回収する回収部と、
前記搬送路に沿って前記紙葉類を搬送する搬送機構と、
前記搬送路上に配置された前記厚さ検出器とを有していることを特徴とする紙葉類処理装置。
【発明の詳細な説明】
【技術分野】
【０００１】
本発明は、搬送路に沿って搬送される小切手などの紙葉類が重なった状態で搬送されているか否かを検出する紙葉類の重送検出方法と紙葉類処理装置に関する。
【背景技術】
【０００２】
紙葉類の処理装置、例えば、小切手処理装置では、束になった状態で小切手が収納されている小切手収納部から１枚ずつ小切手を分離して搬送路に送り出し、搬送路に沿って搬送される小切手から磁気文字情報を読み取るなどの処理を行っている。処理対象の紙葉類を搬送しながら各種の処理を行う処理装置では、紙葉類を１枚ずつ搬送する必要がある。そのために、紙葉類が重なった状態で搬送された場合には、それを確実に検出して処理を中止あるいは中断するようにしている。
【０００３】
紙葉類の重送を検出するための方法としては、搬送路上に厚さ検出器を配置し、この厚さ検出器の検出位置を通過する紙葉類の厚さを検出し、検出された厚さが１枚分の厚さを超えている場合には重送されているものと判断する方法が一般に採用されている。特許文献１〜５には、このような重送検出方法が開示されている。
【先行技術文献】
【特許文献】
【０００４】
【特許文献１】特開２００５−２２５６６１号公報
【特許文献２】特開２００５−１３２５９９号公報
【特許文献３】特開２００５−３０６４９１号公報
【特許文献４】特開２００５−２２５６５９号公報
【特許文献５】特開２００５−２２５５８１号公報
【発明の概要】
【発明が解決しようとする課題】
【０００５】
ここで、検出された厚さが１枚分の紙葉類の厚さを超えているか否かに基づく重送判定では、搬送対象の紙葉類の最大厚さＴｍａｘが、搬送対象の紙葉類の最小厚さＴｍｉｎの２倍未満であるという条件を前提としている。
Ｔｍｉｎ×２＞Ｔｍａｘ
【０００６】
小切手類を処理する小切手処理装置においては、小切手類の最大厚さは０．１４ｍｍであり、最小厚さは０．１０ｍｍであるので、上記の特許文献に開示の方法により重送判定を正確に行うことが可能である。
【０００７】
しかしながら、各種の紙葉類を取り扱う場合には、上記の条件から外れた厚さのものが搬送される場合が想定される。例えば、薄い紙葉類の厚さが０．０７５ｍｍであり、厚い紙葉類の厚さが０．１６ｍｍの場合には、薄い紙葉類が２枚重ねの状態で搬送されたときの厚さ検出値は０．１５ｍｍであり、厚い紙葉類の厚さ０．１６ｍｍよりも薄い。したがって、この場合には、薄い紙葉類が２枚重ねで送られているのか、厚い紙葉類が１枚送られているかを区別できない。
【０００８】
本発明の課題は、紙葉類の最大厚さが最小厚さの２倍以上の場合であっても紙葉類の厚さに基づき正確に重送判定を行うことのできる重送検出方法を提案することにある。
【課題を解決するための手段】
【０００９】
上記の課題を解決するために、本発明の重送検出方法は、
搬送路における予め定めた位置に、当該搬送路に沿って搬送される紙葉類の厚さを検出するための厚さ検出器を配置し、
この厚さ検出器による検出位置を紙葉類が通過する際に、当該厚さ検出器の検出値を所定の周期でサンプリングし、
サンプリングした検出値の変化量を順次に算出し、
算出された各変化量を予め定めた閾値と比較し、
前記変化量が前記閾値以上の場合には、前記紙葉類が重送されていると判定することを特徴としている。
【００１０】
ここで、検出値の誤差成分による判定精度の低下を防止するためには、前記検出値をサンプリング順に複数個ずつ順次に抽出して、それらの平均値を算出し、前記検出値の変化量の代わりに、算出された各平均値の変化量を算出し、この変化量に基づき重送判定を行うことが望ましい。
【００１１】
本発明の重送検出方法では、紙葉類が検出位置を通過している際における厚さの変化量を検出している。重なって紙葉類が搬送される場合には、一般に２枚の紙葉類が搬送方向の前後にずれた状態で搬送されている。したがって、この状態で検出位置を通過する紙葉類の厚さは、最初は１枚分の厚さであるが、途中から２枚分の厚さに変化する。本発明の方法では、紙葉類が重送される場合におけるかかる段差に起因する厚さ変動（変化量）に着目し、当該厚さ変動が発生した場合には重送状態であると判定するようにしている。したがって、紙葉類の最大厚さが最小厚さの２倍未満であるという従来の重送検出方法の前提条件を満たさない場合であっても精度良く重送判定を行うことができる。
【００１２】
ここで、紙葉類が重なっているためにできる段差による検出厚さの変動時点と、紙葉類の先端および後端が検出位置を通過する際に生ずる検出厚さの変動時点とを区別する必要がある。
【００１３】
厚さ検出器の検出位置を紙葉類の先端が通過した時点は次のように検出することができる。まず、前記検出位置に前記紙葉類が到達する前の時点において、前記厚さ検出器から厚さ零を表す零検出値を少なくとも１回サンプリングする。この零検出値の検出時点から前記厚さ検出器の検出値を所定の周期でサンプリングし、サンプリングした検出値と前記零検出値との差を順次に算出する。前記零検出値との差が所定値以上となった時点を、前記紙葉類における搬送方向の先端が前記検出位置を通過した先端通過時点であると判断する。そして、この先端通過時点、あるいは、当該先端通過時点から所定回数のサンプリング周期後の時点を、重送判定のための判定開始時点と定め、この判定開始時点以後にサンプリングされた各検出値あるいは各平均値から算出された前記変化量に基づき前記紙葉類の重送判定を行えば良い。
【００１４】
この場合、先端通過時点の検出精度を高めるためには、厚さ検出器の前記零検出値を複数回サンプリングし、これらの零検出値の平均値を用いて前記先端通過時点を判断することが望ましい。
【００１５】
次に、厚さ検出器の検出位置を紙葉類の後端が通過した時点は次のように検出することができる。まず、前記零検出値のサンプリング時点から所定のサンプリング期間に亘って前記厚さ検出器の検出値のサンプリングを行う。前記サンプリング期間の終了時点においてサンプリングされた前記厚さ検出器の最終検出値を前記零検出値と比較する。前記最終検出値と前記零検出値の差が所定値以下の場合には、前記サンプリング期間の終了時点において前記紙葉類の搬送方向の後端が前記検出位置を通過し終えたものと判断する。
【００１６】
この場合には、検出厚さが零に戻った時点を検出することにより、紙葉類の後端が通過した時点を知ることができる。すなわち、紙葉類の前記後端が通過し終えたものと判断された場合には、前記最終検出値と、当該最終検出値のサンプリング時点より前にサンプリングされた各検出値との差を順次に遡って算出し、前記最終検出値との差が所定値を超えた時点を、前記紙葉類の前記後端が前記検出位置を通過し終えた後端通過時点であると判断する。そして、当該後端通過時点、あるいは、当該後端通過時点から複数回のサンプリング周期分だけ遡った時点を、重送判定の判定終了時点であると定め、前記判定開始時点から前記判定終了時点までにサンプリングされた各検出値あるいは各平均値の変化量に基づき前記紙葉類の重送判定を行うことができる。
【００１７】
なお、サンプリング期間が短い場合などにおいては、その間に紙葉類の後端が検出位置を通過し終えることができない場合がある。例えば、２枚の紙葉類の重なり量が少なく、前後に長い状態で送られている場合などにおいては、サンプリング期間中に後端が検出位置を通過し終えることができないことが想定される。この場合には、検出厚さが零に戻らないので、検出厚さに基づき、紙葉類の後端が検出位置を通過し終わっていないと判断することができる。
【００１８】
この場合には、前記最終検出値がサンプリングされたサンプリング期間の終了時点、あるいは、当該終了時点から所定のサンプリング周期分だけ遡ったサンプリング時点を、重送判定の判定終了時点であると定め、前記判定開始時点から前記判定終了時点までにサンプリングされた各検出値あるいは各平均値の変化量に基づき前記紙葉類の重送判定を行うことができる。
【００１９】
次に、紙葉類の先端が僅かに搬送方向の前後にずれた状態で重送される場合、紙葉類の後端が僅かに前後にずれた状態で重送されていることを精度良く検出することが必要であり、紙葉類の先端側および後端側における重送判定を短い間隔で頻繁に行うことが望ましい。
【００２０】
紙葉類の先端側が僅かに前後にずれた状態で重送される場合を精度良く検出するために、前記判定開始時点から順次に得られる所定個数ｋの前記検出値に基づく先端側重送判定においては、
前記判定開始時点から順次に得られる２（ｍ＋ｎ）個（ｍ、ｎは整数）の検出値の組を、ｎを予め定めた初期値から、「１」ずつ増加して、２（ｍ＋ｎ）＝ｋとなるまで複数組抽出し、
各組について、その前半の（ｍ＋ｎ）個の検出値の平均値と、その後半の（ｍ＋ｎ）個の平均値とを算出し、これらの平均値の差分Ｆを算出し、
前記差分Ｆが前記閾値Ｔｈａ以上の場合には前記紙葉類が重送されたと判定するようにしている。
【００２１】
例えば、ｋ＝５０、ｍ＝５、ｎの初期値＝０の場合には、
５個ずつ１０個
６個ずつ１２個
７個ずつ１４個
・
・
・
２５個ずつ５０個
の２１の検出値の組を抽出し、各組における検出値の差分Ｆを算出し、差分Ｆが閾値以上であるか否かを判別する。抽出した各組の検出値群の間、あるいはその近傍に紙葉類の段差ができている場合には、差分Ｆが閾値以上になるので、当該段差が検出される。換言すると、紙葉類が重送状態であることが分かる。
【００２２】
ここで、紙葉類の先端部分に欠け、破れ、穴などが付いている場合には、これらが検出位置を通過する際に、段差部分が通過する場合と同様に、厚さ検出値が変動する。欠け、破れ、穴などが付いている場合には、厚さ検出値が厚さ零の側に変動する。したがって、次のようにして、このような欠け、破れ、穴などの通過を検出して、これらの通過を段差部分が通過したと誤認してしまうことを防止できる。
【００２３】
すなわち、前記先端側重送判定において抽出したｋ個の検出値について、各組の２（ｍ＋ｎ）個の検出値を、サンプリング順とは逆の順序でｍ個ずつに分け、ｍ個に満たない端数分の検出値は無視し、各ｍ個ずつの検出値の各平均値ａｍを算出する。各平均値ａｍと前記零検出値の差が所定値以下の場合、すなわち、変動後の厚さが厚さ零を示す場合には、欠け、破れ、穴などが通過したものであると判断できるので、当該２（ｍ＋ｎ）個の検出値に基づく前記先端側重送判定を無効とする。
【００２４】
また、紙葉類の先端部が折れ曲がって二重になっている場合などにおいては、算出された差分Ｆが厚さが薄くなる方向に変化する。このような折れ曲がりなどによる検出値変動を重送であると誤検出することのないように、差分Ｆの変化方向が厚さが薄くなる方向の場合は、当該差分Ｆによる重送判定を無効にすればよい。
【００２５】
次に、紙葉類の後端側が僅かに前後にずれた状態で重送される場合を、精度良く検出するために、前記判定終了時点から順次に遡って得られる所定個数ｋの前記検出値に基づく後端側重送判定においては、
前記判定終了時点から順次に遡って得られる２（ｍ＋ｎ）個（ｍ、ｎは整数）の検出値の組を、ｎを予め定めた初期値から、「１」ずつ増加して、２（ｍ＋ｎ）＝ｋとなるまで複数組抽出し、
各組について、その前半の（ｍ＋ｎ）個の検出値の平均値と、その後半の（ｍ＋ｎ）個の平均値とを算出し、これらの平均値の差分Ｆを算出し、
前記差分Ｆが前記閾値以上の場合には前記紙葉類が重送されたと判定するようにしている。
【００２６】
この場合においても、紙葉類の後端部分に付いている欠け、破れ、穴などの通過を、段差部分が通過したものと誤認することにないようにするために、前記後端側重送判定において抽出したｋ個の検出値について、各組の２（ｍ＋ｎ）個の検出値を、サンプリング順にｍ個ずつ分け、ｍ個に満たない端数分の検出値は無視し、各ｍ個ずつの検出値の各平均値ａｍを算出し、前記紙葉類の前記後端が前記検出位置を通過し終えている場合には、各平均値ａｍと前記最終検出値の差が所定値以下の場合には、当該２（ｍ＋ｎ）個の検出値に基づく前記後端側重送判定の結果を無効とすればよい。
【００２７】
ここで、前記紙葉類の前記後端が前記検出位置を通過し終えていない場合には、各平均値ａｍと前記零検出値の差が所定値以下の場合には、当該２（ｍ＋ｎ）個の検出値に基づく前記後端側重送判定の結果を無効とすればよい。
【００２８】
また、紙葉類の後端部が折れ曲がって二重になっている場合などにおいては、算出された差分Ｆが厚さが厚くなる方向に変化する。このような折れ曲がりなどによる検出値変動を重送であると誤検出することのないように、差分Ｆの変化方向が厚さが厚くなる方向の場合は、当該差分Ｆによる重送判定を無効にすればよい。
【００２９】
次に、紙葉類の搬送方向の中間部分に段差が付いている場合には、段差の前後においてそれぞれ一定厚さの検出値が継続して得られる。したがって、広い間隔で段差を検出しても精度良く段差を検出できる。また、紙葉類の前後の中間部分には大きな折り目、皺などがついている場合が多く、狭い間隔で段差判定を行うと、大きな折り目、皺を段差であると誤認し、かえって検出精度が低下する可能性もある。したがって、紙葉類の中間部分における段差の識別は次のように行うことが望ましい。
【００３０】
すなわち、前記判定開始時点から前記判定終了時点までに含まれている検出値群を、サンプリング順にしたがって連続してｋ個ずつｍ個置きに抽出し、ｋ個に至らない端数分の検出値は無視する。各ｋ個ずつの検出値を、前半ｋ／２個および後半ｋ／２に分け、それぞれの平均値を算出し、各平均値の差分Ｆを算出する。この差分Ｆが前記閾値以上の場合には、段差が通過したものと判断できるので、前記紙葉類が重送されたものと判定することができる。
【００３１】
この場合においても、紙葉類に破れ、穴などが付いていると、それらが検出位置を通過する際に厚さ検出値が大きく変動するので、段差が通過したものと誤認してしまう可能性がある。そこで、夫々のｋ個ずつの検出値群に含まれている各検出値と、前記零検出値との差が所定値以下の場合、すなわち、検出厚さが零を示している場合には、破れ、穴などが通過したものと判断し、当該ｋ個の検出値群の平均値の差分Ｆに基づく前記重送判定を無効にすることが望ましい。
【００３２】
次に、本発明の紙葉類の重送検出方法においては、前記厚さ検出器として、検出厚さに対して検出値が線形関係となるものを採用し、重送検出に先立って、前記厚さ検出器における厚さ零の場合の検出値を、初期検出値Ｖｏとして読み取り、前記厚さ検出器の前記検出位置に、既知の厚さｔの基準ゲージを通した場合の検出値を、基準厚さ検出値Ｖｔとして読み取り、前記厚さ検出器の初期感度を（Ｖｏ−Ｖｔ）／ｔに設定しておく。このように、個体毎に感度を測定しておき、実際の前記紙葉類の重送検出においては、搬送対象の前記紙葉類の最小厚さに基づき、重送判定の基準となる厚さ変動閾値ｔ２を設定し、前記閾値を、｛（Ｖｏ−Ｖｔ）／ｔ｝×ｔ２に設定すればよい。このようにすれば、使用環境、厚さ検出器の経時変化などに起因した感度のばらつきを補正でき、精度良く厚さ検出を行うことができ、したがって、精度良く段差に基づく紙葉類の重送判定を行うことができる。
【００３３】
ここで、前記初期検出値Ｖｏおよび前記基準厚さ検出値Ｖｔとして、それぞれ、複数回の検出値の平均値を採用することが望ましい。
【００３４】
また、前記搬送路の前記検出位置に、搬送される紙葉類の厚さに応じて変位する変位部材を配置し、前記厚さ検出器により、当該変位部材の変位量を検出するようにしてもよい。
【００３５】
この場合には、前記変位部材として、一端に、前記検出位置を通過する紙葉類によって変位する変位部が形成され、他端に、増幅された変位量で変位する検出部が形成された回動レバーを採用し、前記厚さ検出器によって、前記検出部の変位量を検出するようにすれば、検出感度を高めることができるので好ましい。
【００３６】
なお、前記厚さ検出器としては半導体位置検出器などの光学センサを採用することができる。
【００３７】
また、本発明の紙葉類処理装置は、上述の紙葉類の重送検出方法を用いたものであり、  紙葉類を挿入する紙葉類挿入部と、前記紙葉類挿入部に挿入された前記紙葉類が搬送される搬送路と、前記搬送路を通過し終えた前記紙葉類を回収する回収部と、前記搬送路に沿って前記紙葉類を搬送する搬送機構と、前記搬送路上に配置された前記厚さ検出器とを有していることを特徴としている。
【００３８】
このような紙葉類処理装置により、紙葉類の最大厚さが最小厚さの２倍以上の場合であっても紙葉類の厚さに基づき正確に重送判定を行うことができる。
【発明の効果】
【００３９】
本発明の紙葉類の重送検出方法では、搬送路を通過する紙葉類の厚さを検出する厚さ検出器の検出値に基づき、紙葉類が重送されている場合に生ずる段差が通過したか否かを検出し、段差が検出された場合には紙葉類が重送されていると判定している。したがって、紙葉類の最大厚さが最小厚さの２倍未満でなければならない、という従来の厚さに基づく重送判定の前提条件が成立しない場合であっても、紙葉類の重送状態を精度良く検出することができる。
【図面の簡単な説明】
【００４０】
【図１】本発明を適用した重送検出システム、厚さ検出器の主要部分の概略構成図である。
【図２】検出値のサンプリング周期およびサンプリング開始ポイントを示す説明図である。
【図３】重送判定用の第１〜第３モードを示す説明図である。
【図４】重送判定フローを示す概略フローチャートである。
【図５】重送判定動作を示す説明図である。
【図６】判定開始および判定終了ポイントの決定方法を示す説明図である。
【図７】先端処理を示す説明図である。
【図８】小切手の穴がある場合の先端処理を示す説明図である。
【図９】小切手が折れ曲がっている場合の先端処理を示す説明図である。
【図１０】後端処理を示す説明図である。
【発明を実施するための形態】
【００４１】
以下に、図面を参照して、本発明を適用した紙葉類の重送検出方法の実施の形態を説明する。
【００４２】
図１（ａ）は、本実施の形態に係る小切手の重送検出システムの主要部分を示す概略構成図であり、図１（ｂ）はその厚さ検出器を示す概略構成図である。重送検出システム１は、例えば、小切手読取装置１００の搬送路１０１に配置された長さ検出器２（以下、ＬＤ検出器２と呼ぶ。）と、搬送路１０１におけるＬＤ検出器２よりも下流側の位置に配置された厚さ検出器３と、これらのＬＤ検出器２おおび厚さ検出器３の出力に基づき小切手４の重送判定を行う重送判定回路５とを有している。
【００４３】
重送判定回路５は、発光パルス制御回路６を介して所定のデューティ比および周期の駆動パルス信号を厚さ検出器３に供給して、この厚さ検出器３を駆動する。厚さ検出器３の検出信号はＡ／Ｄ変換器７を含む信号処理回路８を介して、例えば、１０ビットのデジタル値に変換された後に、重送判定回路５に供給される。重送判定回路５は、ＣＰＵ、ＲＯＭ、ＲＡＭを中心に構成されたマイクロプロセッサユニットであり、一定のサンプリング周期で厚さ検出器３の検出値を読み取り、読み取った検出値に基づき、搬送路１０１を通過する小切手４が重送されているか否かの重送判定を行う。
【００４４】
厚さ検出器３は、図１（ｂ）に示すように、ＬＥＤ１１、一次元半導体位置検出素子１２、ＬＥＤ駆動回路１３および信号処理回路１４を備えている。ＬＥＤ１１からの検出光は、投光レンズ１５を介して検出面１６を照射する。検出面１６からの反射光は受光レンズ１７を介して一次元半導体位置検出素子１２の受光面１２ａに収束する。一次元半導体位置検出素子１２は、反射光の受光位置に応じて内分された電圧が両端から出力され、これら両端電位の差分に基づき反射光の受光位置が検出される。
【００４５】
本例では、検出面１６が、小切手読取装置１００における磁気インク文字読取用の磁気ヘッド（以下、ＭＩＣＲヘッドと呼ぶ。）１０２の感磁面１０２ａに小切手４を押し付けるための押さえレバー１０３の後端面に形成されている。押さえレバー１０３は、その先端面１０３ａとＭＩＣＲヘッド１０２の間を通過する小切手４の厚さに応じて、回動中心軸１０５を中心として回動する。この回動中心軸１０５から先端面１０３ａまでの距離に比べて、回動中心軸１０５から検出面１６までの距離が長いので、先端面１０３ａの変位が増幅されて検出面１６に伝わる。検出面１６は厚さ検出器３に対して接近および離れる方向に変位し、この変位量に対応して、一次元半導体位置検出素子１２の受光面１２ａにおける反射光の照射位置が移動する。したがって、一次元半導体位置検出素子１２からの検出信号に基づき、厚さ検出器３の検出位置であるＭＩＣＲヘッド１０２を通過する小切手４の厚さを知ることができる。
【００４６】
図２は重送判定回路５による厚さ検出器３の検出値のサンプリング（読み取り）開始ポイントＴ（１）およびサンプリング（読み取り）周期を示す説明図である。重送判定回路５では、搬送路１０１を搬送される小切手４の先端４ａがＬＤ検出器２によって検出された時点Ｔ（０）から規定量だけ小切手の搬送が行われた後の時点Ｔ（１）から厚さ検出器３の検出値のサンプリングが開始される。本例の小切手読取装置１００は、小切手搬送用のモータとしてステッピングモータ（図示せず）が使用されており、規定のステップ数（Ｎ１ステップ）だけ小切手搬送用のステッピングモータ（図示せず）によって小切手搬送が行われた後の時点Ｔ（１）から、厚さ検出器３の検出値のサンプリングが開始される。
【００４７】
このサンプリング開始ポイントＴ（１）から、４ステップの周期で１ステップずつＬＥＤ１１を発光させ、発光区間において検出値のサンプリングを行う。すなわち、ＬＥＤ１１を１ステップ送りに対応する時間Δだけ発光させ、この間に、厚さ検出器３の検出値を読み取る。読み取りは、ＬＥＤ発光開始時の不安定領域分（読み取りＤｅｌａｙ）だけ遅れた時点から一定期間ΔＴの間において複数回行い、読み取られた値を平均し、これを、１サンプリングポイント分の検出値として取り込む。かかるサンプリング動作を、４ステップの周期ＴＳで繰り返し行う。例えば、１ステップは０．２８２ｍｍ（９０ｄｐｉ）に対応する長さである。
【００４８】
重送判定回路５は、厚さ検出器３の検出値の読み取りを上記のように４ステップのサンプリング周期で繰り返し行い、搬送路１０１を通過する小切手４の重送検出を行う。本例の重送判定回路５は重送検出制御として３種類のモードが備わっている。
【００４９】
図３は重送判定回路５において実行される重送検出制御の３種類のモードを示す説明図である。第１モードは、図３（ａ）に示すように、検出された小切手４の厚さｔが予め設定された一定の閾値Ｔｈ１を超えた場合を重送であると判定するモードである。このモードでは、搬送対象の小切手４の最大厚さが最小厚さの２倍未満であることが検出のための前提条件とされる。この場合、小切手４の重なり量が少ない場合には検出が困難あるいは不可能である。
【００５０】
第２モードは、図３（ｂ）に示すように、ＬＤ検出器２によって検出される小切手４の長さＬが、予め設定された一定の閾値Ｌ（Ｔｈ）を超えた場合を重送であると判定するモードである。閾値Ｌ（Ｔｈ）は、搬送対象の小切手の最大長さを超える値に設定される。
【００５１】
第３モードは本発明によるものであり、図３（ｃ）に示すように、検出された小切手４の厚さｔから厚さ変動Δｔを検出し、厚さ変動Δｔが一定の閾値Ｔｈ２を超えた場合、すなわち、重なって搬送されている小切手４の段差４ｂが検出された場合を重送であると判定するモードである。この場合にも、小切手４の重なり量が少ない場合には検出が困難あるいは不可能である。
【００５２】
本例の重送判定回路５では、例えば、モード切替操作によって、第１および第２モードの組み合わせ、あるいは、第３および第２モードの組み合わせによって、小切手４の重送検出を行うようになっている。すなわち、小切手読取装置１００における読み取り対象の小切手４の最大厚さが最小厚さの２倍未満という前提条件を満たすことが分かっている場合には、第１および第２モードの組み合わせにより重送検出を行えばよい。多様な小切手を読み取る場合のように、このような厚さの前提条件が保証されない場合には、第３および第２モードの組み合わせにより重送検出を行えばよい。
【００５３】
（厚さ検出器の初期感度の設定）
重送検出システム１の厚さ検出器３は、その検出値が小切手４の厚さと線形関係となる。本例では、個体差、組み付け誤差などに起因する感度のばらつきを補正するために、出荷前の段階、例えば、厚さ検出器３を搬送路１０１に組み付けた後に当該厚さ検出器３の出力感度を測定し、重送判定回路５の内蔵メモリなどに測定した出力感度が設定される。
【００５４】
出力感度の測定においては、まず、厚さ検出器３における厚さ零の場合の検出値を、初期検出値Ｖｏとして読み取る。次に、厚さ検出器３の検出位置に、既知の厚さｔの基準ゲージを通した場合の検出値を、基準厚さ検出値Ｖｔとして読み取る。読み取った値から、厚さ検出器３の初期感度である（Ｖｏ−Ｖｔ）／ｔを算出する。
【００５５】
本例では、測定誤差などを除去するために、小切手無しの状態で厚さ検出器３の検出値を複数回、例えば、５サンプリングポイント分だけ読み取り、これらの検出値の平均値をＶｏとする。また、基準ゲージを通した場合においても検出値を複数回、例えば、５サンプリングポイント分だけ読み取り、これらの検出値の平均値をＶｔとし、初期感度を算出して、内蔵メモリなどに設定している。例えば、基準ゲージの厚さｔは０．２０ｍｍとされる。
【００５６】
（重送検出用の閾値Ｔｈ１、Ｔｈ２、Ｌ（Ｔｈ）の設定）
重送検出システム１による重送検出用の各閾値Ｔｈ１、Ｔｈ２、Ｌ（Ｔｈ）は次にように設定することができる。
【００５７】
まず、第１モード（図３（ａ））における閾値Ｔｈ１は、厚さ検出器３の初期感度を用いて、次式により求める。
【００５８】
Ｔｈ１＝｛（Ｖｏ−Ｖｔ）／ｔ｝×ｔ１
【００５９】
厚さｔ１は紙厚閾値であり、例えば、搬送対象の小切手４の最大厚さが０．１４ｍｍ、最小厚さが０．１０ｍｍの場合には、これらの間の値０．１７ｍｍとされる。
【００６０】
同様に、第３モード（図３（ｃ））における厚さ変動の閾値Ｔｈ２は次のように設定する。まず、搬送対象の小切手４の最小厚さに基づき、重送判定の基準となる厚さ変動値ｔ２を設定し、この厚さ変動値ｔ２に対応する厚さ検出器３の出力値を、重送判定用の閾値Ｔｈ２として設定する。厚さ検出器３の初期感度を用いて、この閾値Ｔｈ２は次式により求める。
【００６１】
Ｔｈ２＝｛（Ｖｏ−Ｖｔ）／ｔ｝×ｔ２
【００６２】
例えば、搬送対象の小切手４の最小厚さが０．０７５ｍｍの場合には、厚さ変動値ｔ２は測定誤差などを考慮して、例えば０．０５ｍｍとされる。
【００６３】
なお、第２モード（図３（ｂ））における長さの閾値Ｌ（Ｔｈ）は、搬送対象の小切手４の最大長さを超える値に設定される。
【００６４】
（重送検出制御：第３モード）
次に、図４は重送検出システム１の第３モード（図３（ｃ））による重送検出動作を示す概略フローチャートである。図５は、小切手４（１）と小切手４（２）が重なった状態で検出位置を通過した場合に厚さ検出器３から得られる出力波形例を示す説明図であり、小切手４（１）に対して小切手４（２）が先端側においてΔＬ１後方にずれ、後端側においてΔＬ２後方にずれている重送状態の場合のものである。
【００６５】
これらの図を参照して説明すると、小切手４（１）、４（２）が重なった状態で搬送路１０１に沿って搬送されてくると、小切手４（１）の先端４ａがＬＤ検出器２によって検出される（図４のステップＳＴ１）。小切手４（１）、４（２）を所定量（Ｎ１ステップ数）だけ搬送した後の時点から、厚さ検出器３の検出値（ＡＤ変換値）ａのサンプリングが開始される（図４のステップＳＴ２、３、図５の時点Ｔ（１））。このサンプリング開始ポイントＴ（１）は、例えば、厚さ検出器３の検出位置（ＭＩＣＲヘッド１０２の読取位置）から所定距離だけ手前に小切手４（１）の先端４ａが到達した時点である。
【００６６】
サンプリングは、図２を参照して説明したように、小切手が４ステップ分搬送される毎に行われる。１ステップ分の送り量が０．２８２ｍｍ（９０ｄｐｉ）の場合には、４ステップ（１．１２８ｍｍ送り）毎に、検出値ａがサンプリングされる。サンプリング期間の終了時点は、搬送対象の最大長さの小切手の後端が検出位置を通過し終えた後の時点とされ、この時点において検出値のサンプリングを終了する（図４のステップＳＴ４、図５の時点Ｔ（ｒ））。
【００６７】
この後は、サンプリングした検出値ａ（１）〜ａ（ｒ）（ｒ：正の整数）を演算処理して（ステップＳＴ５）、サンプリング期間に含まれているサンプリングポイントＴ（１）〜Ｔ（ｒ）の中から、重送判定のための判定開始ポイントおよび判定終了ポイントを決定する（図４のステップＳＴ６、７、図５の時点Ｔ（ｐ）およびＴ（ｑ））。
【００６８】
しかる後に、判定開始ポイントＴ（ｐ）から判定終了ポイントＴ（ｑ）までの間に得られた各検出値ａ（ｐ）〜ａ（ｑ）（ｐ，ｑ：正の整数）を抽出し、抽出した検出値を演算処理して、小切手４の先端側における重送判定のための先端処理（図４のステップＳＴ８、図５の区間Ｔ（ｐ）〜Ｔ（ｐ＋４９））、小切手４の中間部分における重送判定のための中間処理（図４のステップＳＴ９、図５の区間Ｔ（ｐ）〜Ｔ（ｑ））および、小切手４の後端側における重送判定のための後端処理（図４のステップＳＴ１０、図５の区間Ｔ（ｑ−４９）〜Ｔ（ｑ））を実行して、小切手４が重送状態であるか否かを判別する（図４のステップＳＴ１１）。
【００６９】
以下に、上記の各ステップにおける処理内容を説明する。
【００７０】
（ステップＳＴ７：判定開始ポイントの決定）
厚さ検出器３の検出位置を重送状態の小切手４（１）の先端４ａが通過した時点は次のように検出される。
【００７１】
図５を参照して説明すると、検出位置に小切手４（１）が到達する前の時点、すなわち、サンプリングされた検出値ａの中から、そのサンプリング開始ポイントＴ（１）からサンプリング順に５サンプリングポイント分の検出値（ＡＤ変換値）ａ（１）、ａ（２）、ａ（３）、ａ（４）、ａ（５）を抽出し、それらの平均値を算出する。この平均値を、紙厚が零の場合を表す零検出値Ｄであると定める。
【００７２】
この零検出値Ｄと、６サンプリングポイント以後の検出値ａ（６）、ａ（７）、ａ（８）・・・とを順次に比較し、それらの差（変動幅）を算出する。この差が予め定めた値を超えたサンプリングポイントを、小切手４の先端４ａが通過した時点であると判断する。
【００７３】
例えば、図６（ａ）に示すように、検出値ａ（ｐ−５）と検出値ａ（ｐ−４）の差が予め定めた値を超えた場合には、検出値ａ（ｐ−４）のサンプリングポイントが先端４ａの通過時点であると判断する。この先端通過時点から所定回数後のサンプリングポイント、例えば、当該ポイントを含み５サンプリングポイント後のポイントＴ（ｐ）（検出値ａ（ｐ））が判定開始ポイントとして設定される。判断基準となる差（変動幅）は、例えば、０．０３ｍｍの厚さに対応する検出値変動が採用される。
【００７４】
なお、先端通過時点Ｔ（ｐ−４）をそのまま判定開始ポイントとすることも可能である。本例では、小切手４（１）の先端４ａが押さえレバー１０３を押すので、押さえレバー１０３のチャタリングが収束して検出値が安定するために要する時間後の時点である５サンプリングポイント後の時点を判定開始ポイントとしている。
【００７５】
（ステップＳＴ７：判定終了ポイントの決定）
重送状態の小切手４（２）の後端４ｂが厚さ検出器３の検出位置を通過し終えた時点は次のように検出される。
【００７６】
まず、図５を参照して説明すると、サンプリングされた検出値ａ（１）〜ａ（ｒ）の中から、そのサンプリング終了ポイントＴ（ｒ）からサンプリング順とは逆に遡って５サンプリングポイント分の検出値ａ（ｒ）、ａ（ｒ−１）、ａ（ｒ−２）、ａ（ｒ−３）、ａ（ｒ−４）を抽出し、これらの平均値を算出する。この平均値を最終検出値Ｅとする。
【００７７】
この後は、算出された最終検出値Ｅを零検出値Ｄと比較する。小切手４の後端４ｃがサンプリング終了時点Ｔ（ｒ）において検出位置を通過し終えている場合には、厚さ検出器３の検出値は厚さ零を表す値になる。したがって、最終検出値Ｅと零検出値Ｄの差が、測定誤差を考慮した所定値以下の場合には、サンプリング終了ポイントＴ（ｒ）において小切手４（２）の後端４ｃ検出位置を通過し終えていると判断することができる。
【００７８】
この場合には、検出厚さが零に戻った時点を検出することにより、小切手４の後端４ｃが通過した時点を知ることができる。すなわち、最終検出値Ｅと、サンプリングポイントＴ（ｒ−５）、Ｔ（ｒ−６）、Ｔ（ｒ−７）・・・における検出値ａ（ｒ−５）、ａ（ｒ−６）、ａ（ｒ−７）・・・とを、順次に遡って比較し、それらの差が初めて所定値を超えた時点を、小切手４（２）の後端４ｃが検出位置を通過し終えた後端通過時点Ｔ（ｑ＋４）であると決定することができる。後端検出の場合においても、例えば、０．０３ｍｍの厚さに対応する検出変動が発生した場合に後端４ｃが通過したものと判断できる。
【００７９】
本例では、図６（ｂ）に示すように、後端通過時点Ｔ（ｑ＋４）から所定回数のサンプリングポイント、例えば、当該後端通過時点を含む５サンプリングポイントだけ遡ったサンプリングポイントＴ（ｑ）を判定終了ポイントとして設定している。この理由は、判定開始ポイントＴ（ｐ）を設定した場合と同様に、押さえレバー１０３が変位する前の静定状態まで戻った時点を判定終了ポイントに決定するためである。
【００８０】
一方、２枚の小切手４（１）、４（２）の重なり量が少なく、前後に長い状態で送られている場合などにおいては、サンプリング終了ポイントＴ（ｒ）においても後端４ｃが検出位置を通過し終えることができないことが想定される。この場合には、検出厚さが零に戻らない。よって、上記のように算出した最終検出値Ｅが、零検出値Ｄに比べて大きな差がある場合には、小切手４（２）の後端４ｃが検出位置を通過し終わっていないと判断できる。
【００８１】
この場合には、サンプリング終了ポイントＴ（ｒ）、あるいは、当該終了ポイントから所定のサンプリングポイント分、例えば５サンプリングポイント分だけ遡ったサンプリングポイントＴ（ｒ−４）の時点を、重送判定の判定終了時点に決定することができる。
【００８２】
（ステップＳＴ８：先端処理）
本例の小切手４の先端側部分における重送判定処理は次のように行われる。まず、判定開始ポイントＴ（ｐ）からサンプリング順に所定個数ｋ（ここではｋは４以上の整数とする）の検出値ａ（ｐ）、ａ（ｐ＋１）、ａ（ｐ＋２）・・・ａ（ｐ＋ｋ）（ｐ：正の整数）を抽出する。次に、抽出したｋ個の検出値から、２（ｍ＋ｎ）個（ここでは、ｍは２以上の整数、ｎは０以上の整数、とする）の検出値の組を、ｎを予め定めた初期値から、「１」ずつ増加して、２（ｍ＋ｎ）＝ｋとなるまで複数組抽出し、各組について、その前半の（ｍ＋ｎ）個の検出値の平均値と、その後半の（ｍ＋ｎ）個の平均値とを算出し、これらの平均値の差分Ｆを算出する。
【００８３】
本例では、ｋ＝５０、ｍ＝５、ｎの初期値＝０とされている。したがって、図７に示すように、５０のサンプリングポイントＴ（ｐ）〜Ｔ（ｐ＋４９）での検出値ａ（ｐ）〜ａ（ｐ＋４９）から、
５個ずつの組：ａ（ｐ）〜ａ（ｐ＋４），ａ（ｐ＋５）〜ａ（ｐ＋９）
６個ずつの組：ａ（ｐ）〜ａ（ｐ＋５），ａ（ｐ＋６）〜ａ（ｐ＋１１）
７個ずつの組：ａ（ｐ）〜ａ（ｐ＋６），ａ（ｐ＋７）〜ａ（ｐ＋１３）
・
・
・
２５個ずつの組：ａ（ｐ）〜ａ（ｐ＋２４），ａ（ｐ＋２５）〜ａ（ｐ＋４９）
の２１組が抽出される。そして、各組における検出値の差分Ｆ（１）〜Ｆ（２１）を算出し、各差分が閾値Ｔｈ２以上であるか否かを判別する。抽出した各組の検出値群の間、あるいはその近傍に小切手４の段差４ｂができている場合には、差分Ｆ（１）〜Ｆ（２１）のうちの少なくとも一つが閾値Ｔｈ２以上になり、段差４ｂが検出される。換言すると、小切手４が重送状態であることが分かる。
【００８４】
例えば、図７においては、小切手４（１）、４（２）の段差４ｂが通過して検出値が大きく変化する部分を中心として前後に１４個ずつの組となっている場合の差分Ｆ（１０）が閾値Ｔｈ２を大きく上回り、重送状態であることが分かる。
【００８５】
ここで、小切手４（１）、４（２）の先端部分に欠け、破れ、穴などが付いている場合には、これらが検出位置を通過する際に、段差４ｂが通過する場合と同様に、厚さ検出値ａが変動する。欠け、破れ、穴などが付いている場合には、厚さ検出値ａが厚さ零の側に変動する。したがって、次のようにして、このような欠け、破れ、穴などの通過を検出して、これらの通過を段差部分が通過したと誤認してしまうことを防止できる。
【００８６】
すなわち、抽出したｋ個の検出値について、各組の２（ｍ＋ｎ）個の検出値を、例えば、サンプリング順とは逆の順序でｍ個ずつに分け、ｍ個に満たない端数分の検出値は無視し、各ｍ個ずつの検出値の各平均値ａｍを算出する。各平均値ａｍと零検出値Ｄの差が、誤差を考慮した所定値以下の場合、すなわち、変動後の厚さが厚さ零を示す場合には、欠け、破れ、穴などが通過したものであると判断できる。
【００８７】
図８を参照して説明すると、図７の場合と同様にｋ＝５０、ｍ＝５のとき、小切手４（１）の先端部分の穴４ｄが空いているものする。この場合、１４個ずつの検出値の組ａ（ｐ）〜ａ（ｐ＋１３），ａ（ｐ＋１４）〜ａ（ｐ＋２７）では、穴４ｄによって差分Ｆ（１０）が閾値Ｔｈ２を超えて、重送であると判断されてしまう。
【００８８】
そこで、サンプリング順とは逆の順番に、２８個の検出値を５個（＝ｍ）ずつ５つに分け、端数となる３個の検出値ａ（ｐ＋２）〜ａ（ｐ）を無視する。各５個ずつの検出値について、それぞれ平均値ａｍを算出し、これを零検出値Ｄと比較する。この差が実質的に無い場合には、厚さ零を示す平均値であるので、欠け、破れ、穴などが通過したことに起因して検出値が変動したものと判断することができる。穴４ｄの位置に対応している検出値の平均値ａｍは、厚さ零を示す平均値になる。したがって、１４個ずつの検出値の組に基づき重送であるとの判定結果が出ている場合であっても、当該判定結果を無視すればよい（無効にすればよい）。これにより、段差４ｂと穴４ｄとを区別できる。
【００８９】
一方、小切手４（１）の先端部分が折れ曲がって二重になった状態で搬送される場合には、当該折り曲げ部分の通過時点で検出値が大きく変動し、重送であると誤判定される可能性がある。そこで、本例では、算出された各差分Ｆの変化の方向が小切手厚さが薄くなる方向の場合には、当該差分に基づき重送判定を無効にしている。
【００９０】
図９を参照して説明すると、図７の場合と同様にｋ＝５０、ｍ＝５のとき、小切手４（１）の先端部分が折り曲げられて重なっており厚さが２倍となっているものとする。この場合、１４個ずつの検出値の組ａ（ｐ）〜ａ（ｐ＋１３），ａ（ｐ＋１４）〜ａ（ｐ＋２７）では、この重なり部分４ｅと、その後ろ側の薄い部分との厚さの変化によって、差分Ｆ（１０）が閾値Ｔｈ２を超えて、重送であると判断されてしまう。この場合の差分Ｆ（１０）は、前半側の１４個の検出値の平均値に対して、後半側の１４個の検出値の平均値が小切手厚さが薄くなる方向に変化している。差分Ｆ（１０）が閾値Ｔｈ２を超える値であっても、変化の方向が小切手厚さが薄くなる方向であるので、当該差分Ｆ（１０）による重送判定を無効とされる。この結果、このように折れ曲がって二重になっている重なり部分４ｅに起因する誤判定を防止できる。
【００９１】
（ステップＳＴ１０：後端処理）
次に、小切手４（２）の後端側が僅かに前後にずれた状態で重送される場合を精度良く検出するために、図７、図８に示す場合と同様にして重送判定が行われる。
【００９２】
図１０を参照して説明すると、この場合には、サンプリングされた検出値ａ（ｐ）〜ａ（ｑ）の中から、判定終了ポイントＴ（ｑ）から順次に遡って所定個数ｋ（ｋは４以上の整数）の検出値を抽出する。
【００９３】
これらｋ個の検出値から、判定終了ポイントから順次に遡って得られる２（ｍ＋ｎ）個（ｍは２以上の整数、ｎは１以上の整数）の検出値の組を、ｎを予め定めた初期値から、「１」ずつ増加して、２（ｍ＋ｎ）＝ｋとなるまで複数組抽出し、各組について、その前半の（ｍ＋ｎ）個の検出値の平均値と、その後半の（ｍ＋ｎ）個の平均値とを算出し、これらの平均値の差分Ｆを算出し、差分Ｆが閾値Ｔｈ２以上の場合には小切手が重送されたと判定する。具体的には上記の先端処理と同様である。
【００９４】
本例では、ｋ＝５０、ｍ＝５、ｎの初期値＝０とされている。したがって、図１０に示すように、５０のサンプリングポイントＴ（ｑ）〜Ｔ（ｑ−４９）の検出値ａ（ｑ）〜ａ（ｑ−４９）から、
５個ずつの組：ａ（ｑ）〜ａ（ｐ−４），ａ（ｑ−５）〜ａ（ｑ−９）
６個ずつの組：ａ（ｑ）〜ａ（ｑ−５），ａ（ｑ−６）〜ａ（ｑ−１１）
７個ずつの組：ａ（ｑ）〜ａ（ｑ−６），ａ（ｑ−７）〜ａ（ｑ−１３）
・
・
・
２５個ずつの組：ａ（ｑ）〜ａ（ｑ−２４），ａ（ｑ−２５）〜ａ（ｑ−４９）
の２１組が抽出される。そして、各組における検出値の差分Ｆ１（１）〜Ｆ１（２１）を算出し、各差分が閾値Ｔｈ２以上であるか否かを判別する。抽出した各組の検出値群の間、あるいはその近傍に小切手４の段差４ｂができている場合には、差分が閾値Ｔｈ２以上になるので、当該段差が検出される。換言すると、小切手４が重送状態であることが分かる。例えば、図１０においては、小切手４（１）、４（２）の段差４ｂ１が通過して検出値が大きく変化する部分を中心として前後に１４個ずつの組となる場合に、差分Ｆ１（１０）が閾値Ｔｈ２を大きく上回り、重送状態であることが分かる。
【００９５】
ここで、小切手４（１）、４（２）の後端部分に欠け、破れ、穴などが付いている場合には、これらが検出位置を通過する際に、段差４ｂ１が通過する場合と同様に、厚さ検出値ａが変動する。欠け、破れ、穴などが付いている場合には、厚さ検出値ａが厚さ零の側に変動する。したがって、先端処理の場合と同様にして、欠け、破れ、穴などの通過を検出して、これらの通過を段差部分が通過したと誤認してしまうことを防止すればよい。
【００９６】
すなわち、抽出したｋ個の検出値について、各組の２（ｍ＋ｎ）個の検出値を、例えば、サンプリング順にｍ個ずつに分け、ｍ個に満たない端数分の検出値は無視し、各ｍ個ずつの検出値の各平均値ａｍを算出する。各平均値ａｍと最終検出値Ｅの差が、誤差を考慮した所定値以下の場合、すなわち、変動後の厚さが厚さ零を示す場合には、欠け、破れ、穴などが通過したものであると判断できる。
【００９７】
ここで、小切手４（２）の後端４ｃが検出位置を通過し終えていない場合には、各平均値ａｍと零検出値Ｄが実質的に同一であるか否かを判別し、同一である場合には、重なっている小切手に欠け、破れ、穴などがあるものと判断し、当該２（ｍ＋ｎ）個の検出値に基づく後端側重送判定の結果を無効にすればよい。
【００９８】
一方、小切手４（２）の後端部分が折れ曲がって二重になった状態で搬送される場合には、当該折り曲げ部分の通過時点で検出値が大きく変動し、重送であると誤判定される可能性がある。そこで、本例では、上述の先端部分が折れ曲がっている場合と同様の処理を行い、算出された各差分Ｆの変化の方向が、小切手厚さが厚くなる方向の場合には、当該差分に基づき重送判定を無効にしている。
【００９９】
（ステップＳＴ９：中間処理）
次に、小切手４（１）、４（２）の搬送方向の中間部分に段差４ｂ、４ｂ１が付いている場合には、段差の前後においてそれぞれ一定厚さの検出値が継続して得られる。したがって、広い間隔で段差を検出しても精度良く段差を検出でき、演算処理時間も少なくて済む。また、小切手４（１）、４（２）の前後方向の中間部分には大きな折り目、皺などがついている場合が多く、狭い間隔で段差判定を行うと、大きな折り目、皺を段差であると誤認し、かえって検出精度が低下する可能性もある。したがって、小切手の中間部分における段差の識別は次のように行っている。
【０１００】
まず、判定開始ポイントＴ（ｐ）から判定終了ポイントＴ（ｑ）までに含まれている検出値ａ（ｐ）〜ａ（ｑ）を、サンプリング順にしたがって連続してｋ個ずつｍ個置きに抽出し、ｋ個に至らない端数分の検出値は無視する。たとえば、連続する５０個ずつ（ｋ＝５０）の検出値を５個（＝ｍ）置きに抽出する。すなわち、５０個ずつの検出値ａ（ｐ）〜ａ（ｐ＋４９）、ａ（ｐ＋５４）〜ａ（ｐ＋１０４）、ａ（ｐ＋１０９）〜ａ（ｐ＋１５９）・・・を抽出する。判定終了ポイントＴ（ｑ）の側における５０未満の端数は無視する。
【０１０１】
そして、５０個ずつの検出値を、前半２５個（ｋ／２）および後半２５個（ｋ／２）に分け、それぞれの平均値ａｍ１、ａｍ２を算出し、各平均値の差分Ｆを算出する。この差分Ｆが閾値Ｔｈ２以上の場合には、段差４ｂ、４ｂ１が通過したものと判断でき、小切手４が重送されたものと判定する。
【０１０２】
この場合においても、小切手４の破れ、穴などが付いていると、それらが検出位置を通過する際に厚さ検出値が大きく変動するので、段差が通過したものと誤認してしまう可能性がある。そこで、夫々の５０個（＝ｋ）ずつの各検出値のそれぞれと、零検出値Ｄとの差が実質的に無い場合、すなわち、検出厚さが零を示している場合には、破れ、穴などが通過したものと判断し、当該５０個の検出値の平均値の差分Ｆに基づく重送判定を無効にする。
【０１０３】
（モード２：長さによる重送検出方法）
上記の重送検出方法では、検出値のサンプリング間隔が図２に示すように４ステップ周期であり、搬送距離に換算すると、１．１２８ｍｍ毎である。また、重送検出のためのサンプリングポイント数の最小値は１０である。したがって、小切手４の重なり量が、約１２ｍｍ未満の場合（＝１．１２８ｍｍ×１０ポイント）には、重送検出ができない。
【０１０４】
そこで、本例では、ＬＤ検出器２の検出信号に基づき、搬送されている小切手４の長さを検出し、検出された長さＬが、搬送対象の小切手４の最大長さを超える場合には重送状態であると判別している。すなわち、検出長さＬが閾値Ｌ（Ｔｈ）を超える場合には重送状態であると判別している。
【０１０５】
（モード１：厚さによる重送検出方法）
なお、本例における厚さに基づく重送検出方法を簡単に説明する。
【０１０６】
まず、小切手４が無い状態での厚さ検出器３の検出値を読み込む。すなわち、サンプリングされた検出値の中から、そのサンプリング開始ポイントＴ（１）からサンプリング順に５サンプリングポイント分の検出値ａ（１）〜ａ（５）を抽出し、それらの平均値を算出する。この平均値を、紙厚が零の場合を表す零検出値Ａであると定める。これは、第３モードにおける零検出値Ｄと同様である。
【０１０７】
この後は、サンプリングされた検出値ａ（ｒ）をサンプリング順に順次に零検出値Ａと比較し、その差分Ｃを算出する。
Ｃ＝Ａ−ａ（ｒ）
【０１０８】
算出された差分Ｃが閾値Ｔｈ１を超えているか否かを判別する。
【０１０９】
差分Ｃが閾値Ｔｈ１を超えた状態が連続して複数ポイント分、たとえば２５ポイント分連続した場合には、重送状態であると判断する。複数ポイントに亘って判別する理由は、小切手に折れ、しわなど付いている場合の誤検出を回避して検出精度を高めるためである。
【０１１０】
また、上述の小切手の重送検出方法を、紙葉類処理装置に用いることもできる。この紙葉類処理装置は、小切手を束にして挿入しセットする紙葉類挿入部と、この紙葉類挿入部に連通するもので、細溝から成る小切手の搬送路と、この搬送路に連通するもので、小切手を回収する回収部と、搬送路に沿って紙葉類を搬送する搬送機構とを備えている。
【０１１１】
搬送路上には、上述の厚さ検出器３を配置すると共に、小切手に印刷された磁気文字インクを読み取る磁気ヘッドと、小切手の表面と裏面の画像を読み取るそれぞれのスキャナを配置する。
【０１１２】
この紙葉類処理装置は、ＣＰＵやメモリなどから成る制御部を有し、上述の小切手の重送検出方法を実現できるように構成されている。制御部は、重送状態であると判断すると、搬送を停止してエラー処理を行う。ディスプレイやＬＥＤなどの表示部にエラー表示し、エラー状態であることを接続された上位のコンピュータに知らせる。
【符号の説明】
【０１１３】
１  重送検出システム、２  ＬＤ検出器、３  厚さ検出器、４，４（１），４（２）  小切手、４ａ  先端、４ｂ，４ｂ１  段差、４ｃ  後端、４ｄ  穴、４ｅ  折り曲がりによる重なり部分、５  重送判定回路、６  発光パルス制御回路、７  Ａ／Ｄ変換器、８  信号処理回路、１１  ＬＥＤ、１２  半導体位置検出素子、１３  ＬＥＤ駆動回路、１４  信号処理回路、１５  投光レンズ、１６  検出面、１７  受光レンズ、Ｔｈ２  閾値、Ｄ  零検出値、Ｅ  最終検出値、ａ（１）〜ａ（ｒ）  検出値、Ｔ（１）〜Ｔ（ｒ）  サンプリングポイント、Ｔ（ｐ）  判定開始ポイント、Ｔ（ｑ）  判定終了ポイント。
【図１】
2012041194.tif 000003
【図２】
2012041194.tif 000004
【図３】
2012041194.tif 000005
【図４】
2012041194.tif 000006
【図５】
2012041194.tif 000007
【図６】
2012041194.tif 000008
【図７】
2012041194.tif 000009
【図８】
2012041194.tif 000010
【図９】
2012041194.tif 000011
【図１０】
2012041194.tif 000012
【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
搬送路に搬送される紙葉類を、回動する変位部材で押圧し、
前記紙葉類を押圧したときの前記変位部材の変位を検出するとともに、検出値を予め定められた周期でサンプリングし、
サンプリングされた検出値の変化量を算出し、
算出された変化量と予め定められた変化量の閾値とを比較し、
前記算出された変化量が前記変化量の閾値以上の場合には、前記紙葉類が重送されていると判定することを特徴とする紙葉類の重送検出方法。
【請求項２】
前記紙葉類の厚さが零の場合の検出値を、初期検出値Ｖｏとして読み取り、
前記変位部材の押圧位置に、既知の厚さｔの基準ゲージを通した場合の検出値を、基準厚さ検出値Ｖｔとして読み取り、
読み取られた前記初期検出値Ｖｏ及び前記基準厚さ検出値Ｖｔから初期感度を（Ｖｏ−Ｖｔ）／ｔに設定し、
搬送対象の前記紙葉類の最小厚さに基づき、重送判定の基準となる厚さ変動閾値ｔ２を設定し、
設定された前記初期感度及び前記厚さ変動閾値に基づいて、前記変化量の閾値Ｔｈａを、｛（Ｖｏ−Ｖｔ）／ｔ｝×ｔ２に設定する請求項１に記載の紙葉類の重送検出方法。
【請求項３】
前記初期検出値Ｖｏおよび前記基準厚さ検出値Ｖｔは、サンプリングされた複数回の検出値の平均値である請求項２に記載の紙葉類の重送検出方法。
【請求項４】
前記変位部材は、一端が、搬送される前記紙葉類を押圧し、前記紙葉類を押圧したときに他端が、変位する回動レバーである請求項１に記載の紙葉類の重送検出方法。
【請求項５】
前記回動レバーの他端の変位を検出する光学センサを用いる請求項４に記載の紙葉類の重送検出方法。
【請求項６】
紙葉類が搬送される搬送路と、
前記搬送路に搬送される前記紙葉類を押圧して回動する変位部材、及び前記変位部材が変位したときの変位を検出値として予め定められた周期でサンプリングする検出部を有する厚さ検出器と、
前記厚さ検出器で検出された検出値の変化量と予め定められた変化量の閾値とを比較して前記搬送路に搬送される前記紙葉類の重送を判定する重送判定部と、
を備えることを特徴とする紙葉類処理装置。
【請求項７】
前記紙葉類を挿入する紙葉類挿入部と、
前記搬送路を通過した前記紙葉類を回収する回収部と、
前記搬送路に沿って前記紙葉類を搬送する搬送機構と、
を備える請求項６に記載の紙葉類処理装置。
【請求項８】
前記重送判定部は、前記紙葉類の厚さが零の場合の検出値を初期検出値Ｖｏとして読み取り、前記変位部材の押圧位置に、既知の厚さｔの基準ゲージを通した場合の検出値を、基準厚さ検出値Ｖｔとして読み取り、読み取られた前記初期検出値Ｖｏ及び前記基準厚さ検出値Ｖｔから初期感度を（Ｖｏ−Ｖｔ）／ｔに設定し、搬送対象の前記紙葉類の最小厚さに基づき重送判定の基準となる厚さ変動閾値ｔ２を設定し、設定された前期初期感度及び前記厚さ変動閾値に基づいて前記変化量の閾値Ｔｈａを、｛（Ｖｏ−Ｖｔ）／ｔ｝×ｔ２に設定する請求項６または７に記載の紙葉類処理装置。
【手続補正２】
【補正対象書類名】明細書
【補正対象項目名】０００９
【補正方法】変更
【補正の内容】
【０００９】
上記の課題を解決するために、本発明の重送検出方法は、搬送路に搬送される紙葉類を、回動する変位部材で押圧し、前記紙葉類を押圧したときの前記変位部材の変位を検出するとともに、検出値を予め定められた周期でサンプリングし、サンプリングされた検出値の変化量を算出し、算出された変化量と予め定められた変化量の閾値とを比較し、前記算出された変化量が前記変化量の閾値以上の場合には、前記紙葉類が重送されていると判定することを特徴とする。
【手続補正３】
【補正対象書類名】明細書
【補正対象項目名】００３２
【補正方法】変更
【補正の内容】
【００３２】
次に、本発明の紙葉類の重送検出方法においては、前記紙葉類の厚さが零の場合の検出値を、初期検出値Ｖｏとして読み取り、前記変位部材の押圧位置に、既知の厚さｔの基準ゲージを通した場合の検出値を、基準厚さ検出値Ｖｔとして読み取り、読み取られた前記初期検出値Ｖｏ及び前記基準厚さ検出値Ｖｔから初期感度を（Ｖｏ−Ｖｔ）／ｔに設定し、搬送対象の前記紙葉類の最小厚さに基づき、重送判定の基準となる厚さ変動閾値ｔ２を設定し、設定された前記初期感度及び前記厚さ変動閾値に基づいて、前記変化量の閾値Ｔｈａを、｛（Ｖｏ−Ｖｔ）／ｔ｝×ｔ２に設定する。このようにすれば、使用環境、厚さ検出器の経時変化などに起因した感度のばらつきを補正でき、精度良く厚さ検出を行うことができ、したがって、精度良く段差に基づく紙葉類の重送判定を行うことができる。
【手続補正４】
【補正対象書類名】明細書
【補正対象項目名】００３３
【補正方法】変更
【補正の内容】
【００３３】
ここで、前記初期検出値Ｖｏおよび前記基準厚さ検出値Ｖｔは、サンプリングされた複数回の検出値の平均値であることが望ましい。  
【手続補正５】
【補正対象書類名】明細書
【補正対象項目名】００３４
【補正方法】削除
【補正の内容】
【手続補正６】
【補正対象書類名】明細書
【補正対象項目名】００３５
【補正方法】変更
【補正の内容】
【００３５】
また、前記変位部材は、一端が、搬送される前記紙葉類を押圧し、前記紙葉類を押圧したときに他端が、変位する回動レバーであることができるので好ましい。
【手続補正７】
【補正対象書類名】明細書
【補正対象項目名】００３６
【補正方法】変更
【補正の内容】
【００３６】
なお、前記回動レバーの他端の変位を検出する光学センサを用いることができる。
【手続補正８】
【補正対象書類名】明細書
【補正対象項目名】００３７
【補正方法】変更
【補正の内容】
【００３７】
また、本発明の紙葉類処理装置は、紙葉類が搬送される搬送路と、前記搬送路に搬送される前記紙葉類を押圧して回動する変位部材、及び前記変位部材が変位したときの変位を検出値として予め定められた周期でサンプリングする検出部を有する厚さ検出器と、前記厚さ検出器で検出された検出値の変化量と予め定められた変化量の閾値とを比較して前記搬送路に搬送される前記紙葉類の重送を判定する重送判定部と、を備えることを特徴とする。
また、前記紙葉類を挿入する紙葉類挿入部と、前記搬送路を通過した前記紙葉類を回収する回収部と、前記搬送路に沿って前記紙葉類を搬送する搬送機構と、を備える。
また、前記重送判定部は、前記紙葉類の厚さが零の場合の検出値を初期検出値Ｖｏとして読み取り、前記変位部材の押圧位置に、既知の厚さｔの基準ゲージを通した場合の検出値を、基準厚さ検出値Ｖｔとして読み取り、読み取られた前記初期検出値Ｖｏ及び前記基準厚さ検出値Ｖｔから初期感度を（Ｖｏ−Ｖｔ）／ｔに設定し、搬送対象の前記紙葉類の最小厚さに基づき重送判定の基準となる厚さ変動閾値ｔ２を設定し、設定された前期初期感度及び前記厚さ変動閾値に基づいて前記変化量の閾値Ｔｈａを、｛（Ｖｏ−Ｖｔ）／ｔ｝×ｔ２に設定する。